(57)【特許請求の範囲】
【請求項１】
前歯領域と犬歯領域の少なくとも一方に用いられる独立した義歯パーツを製造するための義歯成型ブロック（１）であって、
エナメル質領域（５）に埋設されて境界面（７）を形成している象牙質領域（３）を有しており、
前記象牙質領域（３）の前記境界面は、
第１潜在的義歯パーツの唇側面に向けられる第１象牙質面を形成するための第１境界面と、
第２潜在的義歯パーツの唇側面に向けられる第２象牙質面を形成するための第２境界面と、
を有しており、
前記第１象牙質面と前記第２象牙質面は、曲面であり、かつ、隣接方向に共通の切断領域を有しており、
前記第１象牙質面と前記第２象牙質面は、前記象牙質領域（３）において反対側を向く唇側面を形成しており、かつ、異なる非鏡面対称の輪郭形状を有する凸形状を有していることを特徴とする、
義歯成型ブロック（１）。
【請求項２】
歯牙と同じように着色されたセラミック材料とアクリレートの少なくとも一方に基づく歯科材料からなり、
前記象牙質領域（３）と前記エナメル質領域（５）は、同じ材料からなる、
請求項１に記載の義歯成型ブロック（１）。
【請求項３】
前記象牙質領域（３）と前記エナメル質領域（５）は、異なる色素沈着状態を有している、
請求項１または２に記載の義歯成型ブロック（１）。
【請求項４】
前記象牙質領域（３）の全体が前記エナメル質領域（５）に包囲されている、
請求項１から３のいずれか一項に記載の義歯成型ブロック（１）。
【請求項５】
前記象牙質領域（３）の切断面は、前記第１象牙質面と前記第２象牙質面を、前記義歯成型ブロック（１）の底面に対して垂直な向きから見た当該第１象牙質面と当該第２象牙質面の中央を通る線に対して平行に、かつ当該底面に対して垂直に切断するとともに、式（Ｉ）に基づく形状をなし、
（Ｉ）Ｆ（ｘ）＝ａｘ４＋ｂｘ３＋ｃｘ２＋ｄｘ＋ｅ
ａは、０から０．０５の範囲であり、
ｂは、０から−０．２の範囲であり、
ｃは、０から０．８の範囲であり、
ｄは、０から０．１５の範囲であり、
ｅは、０に等しく、
前記切断面の輪郭線は、Ｆ（ｘ）軸に対して非対称的に延びている、
請求項１から４のいずれか一項に記載の義歯成型ブロック（１）。
【請求項６】
前記象牙質領域（３）の切断面は、前記第１象牙質面と前記第２象牙質面を、前記義歯成型ブロック（１）の底面に対して垂直な向きから見た当該第１象牙質面と当該第２象牙質面の中央を通る線に対して平行に、かつ当該底面に対して垂直に切断するとともに、式（II）に基づく形状をなし、
（II）Ｆ（ｘ）＝ａｘ４＋ｂｘ３＋ｃｘ２＋ｄｘ＋ｅ
ａは、０から−０．０５の範囲であり、
ｂは、０から−０．２の範囲であり、
ｃは、０から０．４の範囲であり、
ｄは、０から０．１５の範囲であり、
ｅは、０から１２の範囲であり、
前記切断面の輪郭線は、Ｆ（ｘ）軸に対して非対称的に延びている、
請求項１から４のいずれか一項に記載の義歯成型ブロック（１）。
【請求項７】
前記象牙質領域（３）の切断面は、前記第１象牙質面と前記第２象牙質面を、前記義歯成型ブロック（１）の底面に対して垂直な向きから見た当該第１象牙質面と当該第２象牙質面の中央を通る線に対して平行に、かつ当該底面に対して垂直に切断するとともに、式（III）に基づく形状をなし、
（III）Ｆ（ｘ）＝ａｘ５＋ｂｘ４＋ｃｘ３＋ｄｘ２＋ｅｘ＋ｆ
ａは、０から−０．０５の範囲であり、
ｂは、０から−０．２の範囲であり、
ｃは、０から０．２の範囲であり、
ｄは、０から−０．８の範囲であり、
ｅは、０から０．５の範囲であり、
ｆは、０から１０の範囲であり、
前記切断面の輪郭線は、Ｆ（ｘ）軸に対して非対称的に延びている、
請求項１から４のいずれか一項に記載の義歯成型ブロック（１）。
【請求項８】
前記象牙質領域（３）の切断面は、前記第１象牙質面と前記第２象牙質面を、前記義歯成型ブロック（１）の底面に対して平行に切断するとともに、式（IV）に基づく形状をなし、
（IV）Ｇ（ｘ）＝ｆｘ４＋ｇｘ２＋ｈ
ｆは、−０．００１から１の範囲であり、
ｇは、−０．２から０．２の範囲であり、
ｈは、−０．０６から６の範囲であり、
前記切断面の輪郭線は、Ｇ（ｘ）軸に対して対称的に延びている、
請求項１から４のいずれか一項に記載の義歯成型ブロック（１）。
【請求項９】
前記象牙質領域（３）の切断面は、前記第１象牙質面と前記第２象牙質面を、前記義歯成型ブロック（１）の底面に対して平行に切断するとともに、式（Ｖ）に基づく形状をなし、
（Ｖ）Ｇ（ｘ）＝ｆｘ４＋ｇｘ３＋ｈｘ２＋ｉｘ＋ｊ
ｆは、−０．００１から０．０５の範囲であり、
ｇは、−０．００２から０．００５の範囲であり、
ｈは、−０．２から０．２の範囲であり、
ｉは、−０．０６から０．０６の範囲であり、
ｊは、−４．５から５．５の範囲であり、
前記切断面の輪郭線は、Ｇ（ｘ）軸に対して対称的に延びている、
請求項８に記載の義歯成型ブロック（１）。
【請求項１０】
前記象牙質領域（３）は、前記義歯成型ブロック（１）の全体ベース面を形成する象牙質ベース面上に配置されている、
請求項１から９のいずれか一項に記載の義歯成型ブロック（１）。
【請求項１１】
前歯領域と犬歯領域の少なくとも一方に用いられる義歯パーツを製造するための、請求項１から１０のいずれか一項に記載の義歯成型ブロック（１）の使用。
【請求項１２】
義歯パーツを製造する方法であって、
ａ）請求項１から１０のいずれか一項に記載の義歯成型ブロック（１）を提供する工程と、
ｂ）少なくとも１つの象牙質面を選択する工程と、
ｃ）ＣＡＤ／ＣＡＭ法を用いて前記義歯成型ブロック（１）から材料を除去することにより、少なくとも２つの異なる寸法と色の少なくとも一方を選択的に有するように、前歯領域と犬歯領域の少なくとも一方に配置されうる義歯パーツを製造する工程と、
を含んでいることを特徴とする、
方法。
【請求項１３】
得られる前記義歯パーツの色が、選択可能な象牙質面と前記エナメル質領域（５）の層厚の少なくとも一方による定められるように、前記材料が除去される、
請求項１２に記載の方法。
【請求項１４】
得られる前記義歯パーツの色が、ＣＡＤソフトウェアによる前記エナメル質領域（５）の層厚を用いて予め定められうる、
請求項１２または１３に記載の方法。
【請求項１５】
前記ｅは、０から１１．３４の範囲である、
請求項６に記載の方法。
【請求項１６】
前記ｆは、８から９．８の範囲である、
請求項７に記載の方法。
【発明の詳細な説明】
【技術分野】
【０００１】
本発明は、請求項１、１３、１６の前提部に記載の、義歯パーツを製造するための義歯成型ブロック、義歯パーツを製造するための方法、および義歯成型ブロックから製造される義歯パーツに関する。
【背景技術】
【０００２】
欠損した天然歯牙または歯牙エリアのための義歯の設計および製造という枠組みの中で、自動化ＣＡＤ／ＣＡＭ法とチップ除去法または倣い削り出し加工方法の使用が増しており、各義歯パーツ（例えばクラウン、インレー、アンレーなど）が、義歯成型ブロックから切り出される。
【０００３】
これにより、製造者は、一貫して高い品質と正確なフィット性を有する義歯を提供できるようになる。しかしながら、特に色調に関して天然歯牙のモデルにできる限り近似させて審美的要求を満たすため、しばしば、成型ブロックから削り出される義歯パーツの寸法および色を変化させる必要がある。
【０００４】
コアの周囲に設けられた所定の変化をする複数の色の層を有する、義歯パーツ製造用のプラスチックモールドが、先行技術文献（例えば、特許文献１）に開示されている。
【０００５】
特許文献２は、所望の色で製造されうる義歯パーツ製造用のモールドを開示している。当該モールドは、コア領域と３つの異なる層を備えている。これらの層は、本物の歯牙の象牙質およびエナメル質の領域を模倣するために所定の色を有する。各層を異なる程度に除去することにより、元の歯牙の色調に最も近い義歯パーツが製造されうる。歯の色は、主に象牙質の色により規定される。半透明性、透明性、および厚さの程度を変えることによって、歯牙エナメル質の色の見え方が調節される。
【０００６】
特許文献３も、内側領域と異なる色を外側領域に有する義歯パーツの製造のためのブランクを記載している。
【０００７】
特許文献４は、第１コンポーネントと第２コンポーネントとを少なくとも有する寸法安定材料で製作されたモールドを開示している。第２コンポーネントは、第１コンポーネントと異なる色調を有する。第２コンポーネントは、第１コンポーネントの中に配置されて境界面を形成している。当該境界面は曲面を構成している。当該モールドは、当該境界面が天然または人工の歯牙の象牙質／エナメル質境界の形状と少なくとも部分的に対応するように形成される。特に、第１コンポーネントおよび第２コンポーネントの色調は、天然歯牙または人工歯牙のエナメル質または象牙質の色調にできる限り似るように選択される。また、特に前歯の復元のための材料節約構成が提供されないという短所がある。
【先行技術文献】
【特許文献】
【０００８】
【特許文献１】米国特許第４９７００３２号明細書
【特許文献２】米国特許第５１５１０４４号明細書
【特許文献３】国際公開第２００８／０８３３５８号パンフレット
【特許文献４】国際公開第２０１０／０１００８２号パンフレット
【発明の概要】
【発明が解決しようとする課題】
【０００９】
先行技術に係るモールドおよび方法の短所は、特に、所与の残存歯根に正確にフィットするクラウンを製造するために自然な色彩効果が得られるのに充分な象牙質材料で歯根が被覆されねばならないという事実から生じる。したがって、色彩美観に関する所与の歯科的状況に対処するために、異なる寸法の成型用象牙質コアを提供することが望ましい。しかしながら同時に、費用および材料に係る理由から、必要とされる成型ブロックの数は歯牙の残存歯根に関する状況に応じてできる限り低く抑えられるべきである。
【００１０】
したがって、本発明の目的は、製造される義歯パーツの寸法と色の少なくとも一方を簡単かつ安価に変えられるようにする内象牙質様コア付き義歯成型ブロックを提供することである。
【００１１】
さらに、本発明の目的は、製造される義歯パーツの寸法と色の少なくとも一方の効果が選択されうる義歯パーツの製造方法、および当該方法により製造される義歯パーツを提供することである。成型ブロックに係るこの種の多様性は、必要とされる成型ブロック数の相当量の削減と、材料およびコストの相当量の節約に繋がりうる。
【課題を解決するための手段】
【００１２】
本発明によれば、義歯パーツを製造するための義歯成型ブロックが、エナメル質領域に埋設されて境界面を形成している象牙質領域あるいは象牙質状の領域を有し、当該境界面が、第１潜在的義歯パーツの唇側面に向けられる第１象牙質面を形成するための第１境界面と、第２潜在的義歯パーツの唇側面に向けられる第２象牙質面を形成するための第２境界面とを有することにより、上記の目的が達成される。
【００１３】
成型ブロック内部の象牙質領域と境界面をこのように構成することにより、義歯パーツの寸法と色の見え方の少なくとも一方が、第１潜在的義歯パーツまたは第２潜在的義歯パーツの唇側面（すなわち、唇側の表面）に向けられる少なくとも第１境界面または第２境界面を選択することにより、予め決定されうるようになる。本構成は、特に前歯領域と犬歯領域の少なくとも一方に用いられる義歯パーツに適している。
【００１４】
好ましくは、前記第１象牙質面と前記第２象牙質面は、前記象牙質領域において反対側を向く表面を形成している。よって、例えば異なる寸法または色の義歯パーツが、例えば義歯成型ブロックにおいて反対側を向く異なる２方向から選択的に製造されうる。その結果得られる唇側面は、門歯と犬歯の少なくとも一方に割り当て可能であることが好ましい。第１象牙質面と第２象牙質面の輪郭は、全体がわずかに凸状に湾曲しており、歯牙の歯頚部に向かって、あるいは歯牙の先端に向かって先細りとなる。このようにして製造されうる口蓋側の面つまり義歯パーツの口蓋面は、多かれ少なかれ深くくり抜かれ、象牙質領域が少なくとも部分的に切除されうるが、この部分は外側からは視認可能でない。隣接方向においては、成型ブロックの第１象牙質面と第２象牙質面は、共通の切断領域、好ましくは共通切断線を形成する。また、象牙質コアは二尖構造としてもよく、２つの歯尖は同じか、好ましくは異なる高さと幅の少なくとも一方を有する。
【００１５】
義歯成型ブロックは、歯牙と同じように着色されたセラミック材料とアクリレートの少なくとも一方に基づく歯科材料からなり、象牙質領域とエナメル質領域は、同じ材料からなることが好ましい。義歯成型ブロックの象牙質領域およびエナメル質領域は、異なる色素沈着状態を有していることが好ましい。エナメル質領域は、異なる程度の透明性、特に厚さによって色の見え方を変化させる。しかし、色彩効果は、主として象牙質の色によって生じる。経験上、必要とされる人工エナメル質層の厚さは解剖学的なエナメル質層の厚さとかなり異なることが多い。本発明の成型ブロックは、高度の柔軟性と同時に材料消費量の抑制を実現し、有利である。
【００１６】
好ましくは、前記象牙質領域の全体が前記エナメル質領域に包囲されている。
【００１７】
前記象牙質領域の切断面は、前記第１象牙質面と前記第２象牙質面を、前記義歯成型ブロックの底面に対して垂直な向きから見た当該第１象牙質面と当該第２象牙質面の中央を通る線に対して平行に、かつ当該底面に対して垂直に切断するとともに、式（Ｉ）に基づく形状をなす。
（Ｉ）Ｆ（ｘ）＝ａｘ４＋ｂｘ３＋ｃｘ２＋ｄｘ＋ｅ
ａは、０から０．０５の範囲であり、
ｂは、０から−０．２の範囲であり、
ｃは、０から０．８の範囲であり、
ｄは、０から０．１５の範囲であり、
ｅは、０に等しく、
前記切断面の輪郭線は、Ｆ（ｘ）軸に対して非対称的に延びている。
【００１８】
前記象牙質領域の切断面は、前記第１象牙質面と前記第２象牙質面を、前記義歯成型ブロックの底面に対して垂直な向きから見た当該第１象牙質面と当該第２象牙質面の中央を通る線に対して平行に、かつ当該底面に対して垂直に切断するとともに、式（II）に基づく形状をなす。
（II）Ｆ（ｘ）＝ａｘ４＋ｂｘ３＋ｃｘ２＋ｄｘ＋ｅ
ａは、０から−０．０５の範囲であり、
ｂは、０から−０．２の範囲であり、
ｃは、０から０．４の範囲であり、
ｄは、０から０．１５の範囲であり、
ｅは、０から１２ｍｍの範囲であり、好ましくは、０から１１．３４の範囲であり、
前記切断面の輪郭線は、Ｆ（ｘ）軸に対して非対称的に延びている。
【００１９】
前記象牙質領域の切断面は、前記第１象牙質面と前記第２象牙質面を、前記義歯成型ブロックの底面に対して垂直な向きから見た当該第１象牙質面と当該第２象牙質面の中央を通る線に対して平行に、かつ当該底面に対して垂直に切断するとともに、式（III）に基づく形状をなす。
（III）Ｆ（ｘ）＝ａｘ５＋ｂｘ４＋ｃｘ３＋ｄｘ２＋ｅｘ＋ｆ
ａは、０から−０．０５の範囲であり、
ｂは、０から−０．２の範囲であり、
ｃは、０から０．２の範囲であり、
ｄは、０から−０．８の範囲であり、
ｅは、０から０．５の範囲であり、
ｆは、０から１０の範囲であり、好ましくは、８から９．８の範囲であり、
前記切断面の輪郭線は、Ｆ（ｘ）軸に対して非対称的に延びている。
【００２０】
前記象牙質領域の切断面は、前記第１象牙質面と前記第２象牙質面を、前記義歯成型ブロックの底面に対して平行に切断するとともに、式（IV）に基づく形状をなす。
（IV）Ｇ（ｘ）＝ｆｘ４＋ｇｘ２＋ｈ
ｆは、−０．００１から１の範囲であり、
ｇは、−０．２から０．２の範囲であり、
ｈは、−０．０６から６の範囲であり、
前記切断面の輪郭線は、Ｇ（ｘ）軸に対して対称的に延びている、
【００２１】
前記象牙質領域の切断面は、前記第１象牙質面と前記第２象牙質面を、前記義歯成型ブロックの底面に対して平行に切断するとともに、式（Ｖ）に基づく形状をなす。
（Ｖ）Ｇ（ｘ）＝ｆｘ４＋ｇｘ３＋ｈｘ２＋ｉｘ＋ｊ
ｆは、−０．００１から０．０５の範囲であり、
ｇは、−０．００２から０．００５の範囲であり、
ｈは、−０．２から０．２の範囲であり、
ｉは、−０．０６から０．０６の範囲であり、
ｊは、−４．５から５．５の範囲であり、
前記切断面の輪郭線は、Ｇ（ｘ）軸に対して対称的に延びている。
【００２２】
前記象牙質領域は、前記義歯成型ブロックの全体ベース面を形成する象牙質ベース面上に配置されていることが好ましい。
【００２３】
第１象牙質面と第２象牙質面のそれぞれを凸形状に、しかし異なる寸法および異なる非鏡面対称の輪郭を有するように形成することにより、１つの成型ブロックで複数の義歯状況が有利に提供可能である。すなわち、義歯パーツの製造材料を明らかに節約できることを意味する。特に、第１象牙質面と第２象牙質面のそれぞれは、所望の義歯パーツの選択的な準備を可能にする異なる表面積と異なる表面形状の少なくとも一方を有する。義歯成型ブロックの象牙質ベース面に位置する象牙質領域の下方領域が、その凸形状または湾曲を変化させずにベース面へ移行することが製造上求められる。そのため、２つの象牙質面のそれぞれの放物線状外形の下方領域に変向点は設けられない。また、製造される人工歯牙、好ましくは前歯または犬歯は、それぞれ、所望の寸法または色調に応じて、成型ブロックの第１象牙質面または第２象牙質面の領域に割り当てられる。
【００２４】
本発明によれば、義歯パーツを製造する方法は、
ａ）義歯成型ブロックを提供する工程と、
ｂ）少なくとも１つの象牙質面を選択する工程と、
ｃ）ＣＡＤ／ＣＡＭ法を用いて前記義歯成型ブロックから材料を除去することにより、少なくとも２つの異なる寸法と色の少なくとも一方を選択的に有するように、前歯領域と犬歯領域の少なくとも一方に配置されうる義歯パーツを製造する工程と、
を含んでいる。
【００２５】
好ましくは、得られる前記義歯パーツの色が、選択可能な象牙質面と前記エナメル質領域の層厚の少なくとも一方による定められるように、前記材料が除去される。
【００２６】
得られる前記義歯パーツの色が、ＣＡＤソフトウェアによる前記エナメル質領域の層厚を用いて予め定められうることが好ましい。
【００２７】
本発明に係る義歯パーツは、上記の方法により寸法と色の少なくとも一方を選択可能に義歯成型ブロックから製造され、前歯または犬歯の形状を有していることが好ましい。
【００２８】
本発明に係る義歯成型ブロックについてのより詳細な内容および特徴は、図面を用いた実施形態例についての以降の説明により示される。
【図面の簡単な説明】
【００２９】
【図１】本発明に係る義歯成型ブロックを隣接方向から見た図である。
【図２】本発明に係る義歯成型ブロックを口腔前庭方向から見た図である。
【図３】義歯成型ブロックの斜視図である。
【図４】義歯成型ブロックの断面を上方から見た図である。
【図５Ａ】象牙質コアの垂直方向および近遠心方向に沿う切断線１における関数をグラフ表示した図である。
【図５Ｂ】象牙質コアの垂直方向および近遠心方向に沿う切断線２における関数をグラフ表示した図である。
【図５Ｃ】象牙質コアの垂直方向および近遠心方向に沿う切断線３における関数をグラフ表示した図である。
【図５Ｄ】象牙質コアの水平方向に沿う切断線４における関数をグラフ表示した図である。
【図５Ｅ】象牙質コアの水平方向に沿う切断線５における関数をグラフ表示した図である。
【図５Ｆ】象牙質コアの水平方向に沿う切断線６における関数をグラフ表示した図である。
【図６Ａ】象牙質コアの垂直方向および近遠心方向に沿う切断線１における関数をグラフ表示した図である。
【図６Ｂ】象牙質コアの垂直方向および近遠心方向に沿う切断線２における関数をグラフ表示した図である。
【図６Ｃ】象牙質コアの垂直方向および近遠心方向に沿う切断線３における関数をグラフ表示した図である。
【図６Ｄ】象牙質コアの水平方向に沿う切断線４における関数をグラフ表示した図である。
【図６Ｅ】象牙質コアの水平方向に沿う切断線５における関数をグラフ表示した図である。
【図６Ｆ】象牙質コアの水平方向に沿う切断線６における関数をグラフ表示した図である。
【図７Ａ】象牙質コアの垂直方向および近遠心方向に沿う切断線１における関数をグラフ表示した図である。
【図７Ｂ】象牙質コアの垂直方向および近遠心方向に沿う切断線２における関数をグラフ表示した図である。
【図７Ｃ】象牙質コアの垂直方向および近遠心方向に沿う切断線３における関数をグラフ表示した図である。
【図７Ｄ】象牙質コアの水平方向に沿う切断線４における関数をグラフ表示した図である。
【図７Ｅ】象牙質コアの水平方向に沿う切断線５における関数をグラフ表示した図である。
【図７Ｆ】象牙質コアの水平方向に沿う切断線６における関数をグラフ表示した図である。
【発明を実施するための形態】
【００３０】
図１および２に示された成型ブロック１は、義歯パーツ（例えば、好ましくは前歯や犬歯の領域に用いられる歯冠）の製造に用いられる。成型ブロック１は、エナメル質領域５に埋設されることにより境界面７を形成する象牙質領域３を有している。象牙質領域３の境界面７は、第１潜在的義歯パーツの唇側面に向けられる第１象牙質面を有する。第１境界面と反対側に位置する第２境界面は、第２潜在的義歯パーツの唇側面に向けられる第２象牙質面を形成している。第１象牙質面と第２象牙質面は、それぞれ凸形状を有し、２つの象牙質面の寸法と形状の少なくとも一方は、相違していることが好ましい。反対方向である成型ブロック１の２方向に象牙質領域３を変化させることにより、義歯成型ブロックの数と同数の義歯状況に対応できるだけでなく、義歯成型ブロックの数を増やさずに異なる義歯状況に対応できるようになり、有利である。
第１実施形態では、図１に示された象牙質切断面の底部の幅は例えばおよそ９．５３ｍｍであり、第２実施形態では１０．２４ｍｍである。図２に示された象牙質切断面の底部の幅は例えばおよそ１０．９１ｍｍであり、第２実施形態では１１．６８ｍｍである。両方の実施形態において成型ブロック１全体の底部の幅はおよそ１３．４０ｍｍである。ここで、象牙質切断面の高さはおよそ１３．４６ｍｍであり、義歯成型ブロック１全体の高さはおよそ１５．３０ｍｍである。これらは、標準的な義歯成型ブロックに係る指針的な値に過ぎず、状況に応じて異なる値を任意でとりうる。
【００３１】
唇側の象牙質または歯牙面、つまり唇の側にある表面は、図２の断面図によって確認されうる。前歯領域は、前方向には唇側と同一である。この図で確認不能なのは、唇側面に向けられる第２義歯パーツの第２象牙質面である。第２象牙質面を形成するための第２境界面は、第１境界面と異なる寸法と形状の少なくとも一方を有することが好ましい。ここで、第１象牙質面と第２象牙質面は、義歯成型ブロック１における象牙質領域３の反対面に対応する。よって、製造される義歯パーツの形状と色に最も近い義歯パーツが、モールド１から任意に製造されうる。したがって、実際の歯牙状況に応じて、成型ブロック１の唇側形状が製造開始の直前に決定されうる。当該形状は、適切な義歯パーツを成型ブロック１から削り出すために選択されることを要する。これにより、第１象牙質面と第２象牙質面は、逆方向に凸となるように湾曲した境界面７を構成する。境界面７は、共通の切断領域、好ましくは隣接方向（すなわち、隣接の歯牙）を向く共通の切断線を有する。しかしながら、象牙質領域３の形態は、二重コアに似たものであってもよい。二重コアの二部領域は、それぞれ歯尖状であり、その形状と高さの少なくとも一方が相違している。結果的に、選ばれた異なる寸法と色の犬歯または前歯を切り出すための材料を節約できる方法で、義歯成型ブロック１が使用されうる
【００３２】
図４に示されたモールド１の上面図は、エナメル質領域５内における象牙質領域３のベース面を示す。外側エナメル質領域５の一部が除去されて象牙質領域３の一部が露出される程度までモールド１が削られると、この領域は口蓋または口腔方向に向けられる。当該方向は、患者に義歯パーツを挿入した後には外側から視認可能ではない。特に、底面に対して異なる程度に湾曲した２つの表面を象牙質コア３の構造が有することが、外形線から推測されうる。よって、反対側を向く２つの象牙質面の異なる凸状湾曲は、２つの異なる形状または色の前歯または犬歯を選択的に製造することを可能にする。第１義歯パーツまたは第２義歯パーツによる異なる色の印象は、選択可能な象牙質面と、機械的に予め決定可能な象牙質領域３を包囲するエナメル質領域５の層厚との組み合わせから生じる。
【００３３】
図５に再現されているグラフ図は、図２と図４に示された成型ブロック１の象牙質領域３の仮想切断線から得られるものである。これらの切断線は、図４における数字１、２、３と図２における数字４、５、６によって表される。切断線１、切断線２（切断線１から例えば２ｍｍの距離）、切断線３（切断線１から例えば４ｍｍの距離）は、それぞれ、第１象牙質面および第２象牙質面を、成型ブロック１の底面に対して垂直な向きから見た当該第１象牙質面と当該第２象牙質面の中央を通る線に対して平行に、かつ当該底面に対して垂直に切断する切断面を表す。両方の象牙質領域の中央を通り、底面に対して垂直に切断する切断面の形状は、ｅ＝０の場合の切断式（Ｉ）に対応する。切断線４（ベース面５から縦追えば１．９０ｍｍの距離）、切断線５（ベース面から例えば６．２９ｍｍの距離）、切断線６（底面から例えば１．９０ｍｍの距離）による反対側を向く２つの切断面は、第１象牙質面および第２象牙質面を、成形ブロック１の底面に対して平行に切断し、式（IV）に対応する。
【００３４】
図５Ａから図５Ｃは、それぞれ、象牙質コア３の垂直および近遠心方向に沿う３つの断面１、２、３におけるｅ＝０の場合の切断式（Ｉ）をグラフ表示したものを示している。図５Ｄから図５Ｆは、それぞれ、象牙質コア３の水平方向に沿う３つの断面４、５、６を示しており、図中の（１）と（２）は、反対側を向く２つの輪郭を示している。図５Ａから図５Ｆは、図示の曲線の基になる関数も示している。関数は、それぞれ近遠心方向に沿う切断線１、２、３の基になっている。図５Ｄから図５Ｆにおける（１）と（２）は、それぞれ「輪郭１」と「輪郭２」で指示された関数により特定される輪郭を示している。
【００３５】
関数ｙ＝０．００８ｘ４−０．０３９ｘ３＋０．２６３ｘ２＋０．０８４ｘ＋０は、図５Ａに示された曲線の基になっている。
関数ｙ＝０．０１２ｘ４−０．０５１ｘ３＋０．２９９ｘ２＋０．１３６ｘ＋０は、図５Ｂに示された曲線の基になっている。
関数ｙ＝０．０３５ｘ４−０．１１１ｘ３＋０．７０７ｘ２＋０．１１７ｘ＋０は、図５Ｃに示された曲線の基になっている。
関数ｙ＝−０．１４９ｘ２＋５．７６７＋０は、図５Ｄの（１）に示された曲線の基になっている。
関数ｙ＝０．１２０ｘ２−４．３８９は、図５Ｄの（２）に示された曲線の基になっている。
関数ｙ＝０．０７４ｘ２−３．９２は、図５Ｅの（１）に示された曲線の基になっている。
関数ｙ＝０．００１ｘ４−０．１２３ｘ２＋５．１２４は、図５Ｅの（２）に示された曲線の基になっている。
関数ｙ＝０．００４ｘ４＋０．０５４ｘ２−３．００３は、図５Ｆの（１）に示された曲線の基になっている。
関数ｙ＝−０．００４ｘ４−０．１０４ｘ２＋３．８０７は、図５Ｆの（２）に示された曲線の基になっている。
【００３６】
図６Ａから図６Ｃは、それぞれ、象牙質コア３の垂直および近遠心方向に沿う３つの断面１、２、３においてｅの範囲を０から１２とした場合（好ましくは、０から１１．３４ｍｍの範囲）の切断式（II）をグラフ表示したものを示している。図６Ｄから図６Ｆは、それぞれ、象牙質コア３の水平方向に沿う３つの断面４、５、６を示しており、図中の（１）と（２）は、反対側を向く２つの輪郭を示している。図６Ａから図６Ｆは、図示の曲線の基になる関数も示している。関数は、それぞれ近遠心方向に沿う切断線１、２、３の基になっている。図５Ｄから図５Ｆにおける（１）と（２）は、それぞれ「輪郭１」と「輪郭２」で指示された関数により特定される輪郭を示している。図６Ａから図６Ｆのグラフ表示は、図５Ａから図５Ｆに示された関数のＹ方向における鏡像に相当し、数値が変更されている。
【００３７】
関数ｙ＝−０．０１２ｘ４−０．０５１１ｘ３−０．２８１８ｘ２＋０１１４６．ｘ＋１１．３４４は、図６Ａに示された曲線の基になっている。
関数ｙ＝−０．０１９４ｘ４−０．０７０２ｘ３−０．３３４４ｘ２＋０．１４４７ｘ＋１０．９５３は、図６Ｂに示された曲線の基になっている。
関数ｙ＝−０．０５６２ｘ４−０．１７８ｘ３−１．１７１１ｘ２＋０．１９３ｘ＋８．３４５１は、図６Ｃに示された曲線の基になっている。
関数ｙ＝−０．０００５ｘ４−５Ｅ‐１５ｘ３−０．１６４８ｘ２−８Ｅ‐１３ｘ＋５．４００８は、図６Ｄの（１）に示された曲線の基になっている。
関数ｙ＝０．００１２ｘ４＋１Ｅ‐１５ｘ３＋０．０９５ｘ２＋１Ｅ‐１２ｘ−４．０２０２は、図６Ｄの（２）に示された曲線の基になっている。
関数ｙ＝−０．００１３ｘ４−４Ｅ‐１５ｘ３−０．１５７４ｘ２＋１Ｅ‐１３ｘ＋４．７０５３は、図６Ｅの（１）に示された曲線の基になっている。
関数ｙ＝０．００２１ｘ４−２Ｅ‐１４ｘ３＋０．０８２５ｘ２−５Ｅ‐１３ｘ＋−３．５２０８は、図６Ｅの（２）に示された曲線の基になっている。
関数ｙ＝−０．００５５ｘ４＋１Ｅ‐１４ｘ３＋０．１０３２ｘ２＋２Ｅ‐１２ｘ＋３．１６３１は、図６Ｆの（１）に示された曲線の基になっている。
関数ｙ＝０．００７ｘ４−１Ｅ‐１４ｘ３−２Ｅ‐１２ｘ−２．４５０４は、図６Ｆの（２）に示された曲線の基になっている。
【００３８】
図７Ａから図７Ｃは、それぞれ、象牙質コア３の垂直および近遠心方向に沿う３つの断面１、２、３においてｆの範囲を０から１２とした場合（０から９．８ｍｍの範囲）の特に好ましい切断式（III）をグラフ表示したものを示している。図７Ｄから図７Ｆは、それぞれ、象牙質コア３の水平方向に沿う３つの断面４、５、６を示しており、図中の（１）と（２）は、反対側を向く２つの輪郭を示している。図７Ａから図７Ｆは、図示の曲線の基になる関数も示している。関数は、それぞれ近遠心方向に沿う切断線１、２、３の基になっている。図５Ｄから図５Ｆにおける（１）と（２）は、それぞれ「輪郭１」と「輪郭２」で指示された関数により特定される輪郭を示している。図６Ａから図６Ｆのグラフ表示は、図５Ａから図５Ｆおよび図６Ａから図６Ｆに示された関数のＹ方向における鏡像に相当し、数値が変更されている。
【００３９】
関数ｙ＝−０．０１７７ｘ３−０．４４８７ｘ２−０．２５１６ｘ＋９．８は、図７Ａに示された曲線の基になっている。
関数ｙ＝−０．００１９ｘ５＋０．０６１ｘ４＋０．０５１６ｘ３−０．６０６７ｘ２＋０．２３４７ｘ＋９．２５７２は、図７Ｂに示された曲線の基になっている。
関数ｙ＝−０．０２８８ｘ３−０．７０８５ｘ２＋０．４３０３ｘ＋８．２４０１は、図７Ｃに示された曲線の基になっている。
関数ｙ＝−０．０００９ｘ３−０．１６２８ｘ２−０．０４７１ｘ＋５．４８６２は、図７Ｄの（１）に示された曲線の基になっている。
関数ｙ＝０．０００５ｘ３＋０．１１８６ｘ２＋０．００９ｘ−４．３１８６は、図７Ｄの（２）に示された曲線の基になっている。
関数ｙ＝−０．０００８ｘ３−０．１６７１ｘ２−０．０５６１ｘ＋５．０４２９は、図７Ｅの（１）に示された曲線の基になっている。
関数ｙ＝０．０００２ｘ３＋０．１２８３ｘ２＋０．０１７８ｘ−３．４７２３は、図７Ｅの（２）に示された曲線の基になっている。
関数ｙ＝−０．００１４ｘ３−０．１５２６ｘ２−０．０４２３ｘ＋３．１００１は、図７Ｆの（１）に示された曲線の基になっている。
関数ｙ＝０．００４３ｘ４−０．０２６ｘ３＋０．０５９２ｘ２＋０．００３７ｘ−２．４５２２は、図７Ｆの（２）に示された曲線の基になっている。
【００４０】
別の実施形態においては、象牙質領域３が象牙質ベース面上に配置されるように構成されることにより、義歯成型ブロック１のベース面全体を形成する。
【００４１】
前述した義歯成型ブロック１による義歯パーツの製造方法は、実際の歯牙状況に基づく要求に応じて２つの象牙質面の少なくとも一方を選択することを必須の工程として含む。このようにして、義歯成型ブロック１から少なくとも２つの異なる寸法と色の少なくとも一方を有する義歯パーツが選択的に製造されうるので、有利である。ＣＡＤ／ＣＡＭ方法を使用して、義歯成型ブロック１の選択された側から削り出しすることによって、製造が実施される。そして、結果的に得られる義歯パーツの色の印象は、選択可能な象牙質面の形態と残留するエナメル質領域５の層厚とによって決定される。その結果、義歯パーツの口蓋面の少なくとも一部領域、つまり口蓋側の歯牙面は、象牙質領域の一部に対応する。しかし、この部位は外側から視認可能ではない。
【００４２】
本出願書類に開示されたすべての特徴は、本発明に必要なものとしてクレームされる。
【図１】
0005699256.tif 000002
【図２】
0005699256.tif 000003
【図３】
0005699256.tif 000004
【図４】
0005699256.tif 000005
【図５Ａ】
0005699256.tif 000006
【図５Ｂ】
0005699256.tif 000007
【図５Ｃ】
0005699256.tif 000008
【図５Ｄ】
0005699256.tif 000009
【図５Ｅ】
0005699256.tif 000010
【図５Ｆ】
0005699256.tif 000011
【図６Ａ】
0005699256.tif 000012
【図６Ｂ】
0005699256.tif 000013
【図６Ｃ】
0005699256.tif 000014
【図６Ｄ】
0005699256.tif 000015
【図６Ｅ】
0005699256.tif 000016
【図６Ｆ】
0005699256.tif 000017
【図７Ａ】
0005699256.tif 000018
【図７Ｂ】
0005699256.tif 000019
【図７Ｃ】
0005699256.tif 000020
【図７Ｄ】
0005699256.tif 000021
【図７Ｅ】
0005699256.tif 000022
【図７Ｆ】
0005699256.tif 000023